(57)【要約】【課題】より少ない手順で接続ケーブルのコネクタを固定する情報処理装置を提供する。【解決手段】情報処理装置１００は、挿入方向に対する両側に、取付用の孔１４８が形成された取付部１４７が設けられたコネクタ１４６と、固定部１５０を有するシャーシ本体１３０ａと、を備える。固定部は、コネクタの両側に位置するように設けられる一対の第１の係止部１５１であって、一対の第１の係止部のそれぞれに、シャーシ本体との間にコネクタの取付部を挿入する空隙ができるフランジ１５２を有する、一対の第１の係止部と、一対の第１の係止部の間において、コネクタの取付部の孔に嵌まる突出部１５４であって、コネクタの取付部が空隙に挿入されるとき、コネクタの挿入経路から退避するよう押し込み可能に設けられる突出部と、を備える。【選択図】図７
2018109863.tif 000002
【特許請求の範囲】
【請求項１】
内蔵ユニットに挿入されるコネクタであって、コネクタ本体と、前記コネクタの挿入方向に対して前記コネクタ本体の両側に、取付用の孔が形成された取付部が設けられたコネクタと、
前記内蔵ユニットが取付けられるシャーシ本体と、を備え、
前記シャーシ本体が、前記コネクタを固定する固定部を有し、
前記固定部は、
前記コネクタが取付けられると、前記コネクタの両側に位置するように設けられ、前記シャーシ本体から前記コネクタが取り付けられる側に突出する一対の第１の係止部であって、前記一対の第１の係止部のそれぞれに、前記シャーシ本体との間に前記コネクタの前記取付部を挿入する空隙ができるフランジを有する、一対の第１の係止部と、
前記一対の第１の係止部の間において、前記コネクタの前記取付部の前記孔に嵌まるよう、前記シャーシ本体から前記コネクタが取り付けられる側に突出する突出部であって、前記コネクタの取付部が前記空隙に挿入されるとき、前記コネクタの挿入経路から退避するよう押し込み可能に設けられる突出部と、
を備える、情報処理装置。
【請求項２】
前記突出部は、前記挿入方向に対して傾斜した傾斜部を有する、請求項１に記載の情報処理装置。
【請求項３】
前記固定部は、前記突出部が前記取付部の前記孔に嵌められたとき、前記コネクタの前記取付部が前記空隙に挿入される時の先頭に位置する前記取付部の端部が当接する第２の係止部をさらに備える、請求項１又は２に記載の情報処理装置。
【発明の詳細な説明】
【技術分野】
【０００１】
本出願はコネクタの固定部を有する情報処理装置に関する。
【背景技術】
【０００２】
デスクトップ型のパーソナルコンピュータ（以下、パソコン）等の情報処理装置において、シャーシに内蔵ユニットであるプリント基板、光ディスクドライブ及びハードディスクドライブ等が設けられる。光ディスクディスクドライブ（Ｏｐｔｉｃａｌ  Ｄｉｓｋ  Ｄｒｉｖｅ：以下、ＯＤＤと称する場合がある）及びハードディスクドライブ（Ｈａｒｄ  Ｄｉｓｋ  Ｄｒｉｖｅ：以下、ＨＤＤと称する場合がある）は接続ケーブルを用いてプリント基板に接続される。この接続ケーブルの一端には、ＯＤＤ又はＨＤＤの接続口に嵌合可能なコネクタが、他端にはプリント基板の接続口に嵌合可能なコネクタが取り付けられている。そして、接続ケーブルの一端のコネクタがＯＤＤ又はＨＤＤの接続口に挿入され、接続ケーブルとＯＤＤ又はＨＤＤの電気的な接続が完了する。
【０００３】
デスクトップ型のパソコンでは、ＯＤＤ又はＨＤＤをスライド移動させて、ＯＤＤ又はＨＤＤの接続口を接続ケーブルのコネクタに接続する場合がある。その際、接続ケーブルのコネクタは本体内においてシャーシに固定される。シャーシにコネクタが固定される場合、ＨＤＤ又はＯＤＤのスライド移動によりコネクタが接続口に挿入される時の負荷に耐えるために、本体内にシャーシにネジ止めされる。このように電子機器等をコネクタに接続するために、接続ケーブルのコネクタ自体を他の部材に固定する技術が、例えば特許文献１及び２に記載されている。
【先行技術文献】
【特許文献】
【０００４】
【特許文献１】特開平６−４５０３２号公報
【特許文献２】特開２０００−７７１３３号公報
【発明の概要】
【発明が解決しようとする課題】
【０００５】
コネクタをシャーシにネジ止めする場合、雌ネジ加工をシャーシに行った上で、ネジの締め付け作業を行う。そのため、コネクタを固定するための手順が多くコストの上昇が発生する。
【０００６】
１つの側面では、本発明は、より少ない手順で接続ケーブルのコネクタを固定できる情報処理装置を提供することを目的とする。
【課題を解決するための手段】
【０００７】
１つの形態によれば、内蔵ユニットに挿入されるコネクタであって、コネクタ本体と、コネクタの挿入方向に対してコネクタ本体の両側に、取付用の孔が形成された取付部が設けられたコネクタと、内蔵ユニットが取付けられるシャーシ本体と、を備え、シャーシ本体が、コネクタを固定する固定部とを有し、固定部は、コネクタが取付けられると、コネクタの両側に位置するように設けられ、シャーシ本体からコネクタが取り付けられる側に突出する一対の第１の係止部であって、一対の第１の係止部のそれぞれに、シャーシ本体との間にコネクタの取付部を挿入する空隙ができるフランジを有する、一対の第１の係止部と、一対の第１の係止部の間において、コネクタの取付部の孔に嵌まるよう、シャーシ本体からコネクタが取り付けられる側に突出する突出部であって、コネクタの取付部が空隙に挿入されるとき、コネクタの挿入経路から退避するよう押し込み可能に設けられる突出部と、を備える、情報処理装置が提供される。
【発明の効果】
【０００８】
開示の情報処理装置により、より少ない手順で接続ケーブルのコネクタを固定できる。
【図面の簡単な説明】
【０００９】
【図１】（ａ）は開示するパソコンを前方斜め上方向から見た斜視図、（ｂ）は後方斜め上方向から見た斜視図である。
【図２】（ａ）は比較技術のパソコンの内部を示す斜視図、（ｂ）は金属製のシャーシに設けられたスタッドを示す図である。
【図３】（ａ）は比較技術のパソコンに取付けられたコネクタと、コネクタと接続する直前の光ディスクドライブを示す図、（ｂ）はコネクタに光ディスクドライブが接続された状態を示す図である。
【図４】開示するパソコンの、リアカバーを外した状態を示す斜視図である。
【図５】（ａ）は、図４のＡ部分を拡大して示す図で、固定部を示す図、（ｂ）は固定部を別視点から見た斜視図である。
【図６】（ａ）は、固定部にコネクタを差し込む直前の状態を示す図であり、（ｂ）は（ａ）のＶＩ−ＶＩ線に沿った断面図である。
【図７】（ａ）は、固定部にコネクタを差し込む途中の状態を示す図であり、（ｂ）は（ａ）のＶＩＩ−ＶＩＩ線に沿った断面図である。
【図８】固定部にコネクタが固定された状態を示す斜視図である。
【発明を実施するための形態】
【００１０】
以下、添付図面を用いて本出願の実施の形態を、具体的な実施例に基づいて詳細に説明する。また、以下の実施の形態において同一又は類似の要素には共通の参照符号を付けて示し、理解を容易にするために、これらの図面は縮尺を適宜変更している。
【００１１】
図１（ａ）及び図１（ｂ）に本実施形態の情報処理装置の一例であるオールインワンのデスクトップ型パソコン１００（以下、パソコン１００）を示す。パソコン１００は、ディスプレイユニット１１０、樹脂製のシャーシ１３０及びリアカバー１６０を備える。パソコン１００は、シャーシ１３０に設けられた脚１６１により自立可能になっている。また、パソコン１００は、図示しないキーボード及びマウス等の入力機器と接続し、使用者により操作される。
【００１２】
ここで、比較技術である情報処理装置のパソコンについて図２（ａ）から図３（ｂ）を用いて説明する。図２（ａ）は、比較技術であるパソコン２００の内部を示す斜視図である。パソコン２００は、図１のパソコン１００と同様に、オールインワンのデスクトップ型パソコンであり、ディスプレイユニット２１０と、プリント基板２４１を含む内蔵ユニット２４０が一体的になるよう設計されている。比較技術のパソコン２００は、図２（ａ）に示されるように、金属製のシャーシ２２０に、プリント基板２４１、ハードディスクドライブ２４２、光ディスクドライブ２４３が内蔵ユニット２４０として取付けられている。そして、例えばプリント基板２４１と光ディスクドライブ２４３とが、接続ケーブル２４５により電気的に接続される（図ではケーブル途中が省略されている）。
【００１３】
図３（ａ）及び図３（ｂ）に示されるように、接続ケーブル２４５の端部にはコネクタ２４６が設けられていて、コネクタ２４６は、光ディスクドライブ２４３の接続口２４３ａに接続する。コネクタ２４６はサイドロック型のコネクタであり、端子を有するコネクタ本体２４６ａには、コネクタ２４６の挿入方向（図の矢印Ａ方向）に対する両側にネジ止め用の取付部２４７が設けられている。また、コネクタ２４６は、取付部２４７を含めてその挿入方向に対する幅方向に所定の寸法Ｄを有する。そして、比較技術のパソコン２００には、図２（ｂ）に示されるように、シャーシ２２０に、コネクタ２４６を固定するためのスタッド２２１が設けられている。コネクタ２４６は、取付部２４７をスタッド２２１にネジ止めにすることで、シャーシ２２０に固定される。
【００１４】
図３（ａ）に示されるように、光ディスクドライブ２４３は、シャーシ２２０に固定されたコネクタ２４６に対して、図３（ｂ）のＣ方向にスライドされる。そして、図３（ｂ）に示されるように、光ディスクドライブ２４３の接続口２４３ａに、コネクタ２４６の端子が挿入され、接続が完了する。
【００１５】
比較技術では、コネクタ２４６をシャーシ２２にネジ止めすることから、シャーシ２２０にスタッド２２１を形成しそれに雌ネジ加工をする。また、組立の祭、ネジの締め付け作業等の手順があるためコストが発生している。
【００１６】
本実施形態の情報処理装置に設けられた、コネクタの固定部について図４〜図８を用いて説明する。
【００１７】
図４に示されるように、パソコン１００は、その内部に、ディスプレイユニット１１０（図１（ａ）参照）と樹脂製のシャーシ１３０との間に設けられた金属製のシャーシ１２０を備える。また、パソコン１００は、プリント基板１４１、ハードディスクドライブ１４２、光ディスクドライブ１４３を含む内蔵ユニット１４０を備える。樹脂製のシャーシ１３０は、内蔵ユニット１４０が取り付けられるシャーシ本体１３０ａと、コネクタ１４６を固定するよう、シャーシ本体１３０ａに形成される固定部１５０とを有する。図４に示されるように、光ディスクドライブ１４３が、樹脂製のシャーシ本体１３０ａに取り付けられ、光ディスクドライブ１４３は、接続ケーブル１４５を用いてプリント基板１４１に接続される（図４では接続ケーブルの途中経路は省略されている）。
【００１８】
接続ケーブル１４５は、図３（ａ）に示す接続ケーブル２４５と同様、サイドロック型のコネクタ１４６を有する接続ケーブルである。コネクタ１４６は、端子を備えるコネクタ本体１４６ａと、コネクタ１４６の挿入方向（矢印Ａ方向）に対する両端に取付部１４７が設けられている（図６（ａ）参照）。また、コネクタ１４６は、図３（ａ）に示すコネクタ２４６と同様、その挿入方向に対する幅方向に所定の寸法Ｄを有する。両端にある取付部１４７のそれぞれには、取付用の孔１４８が形成されている。
【００１９】
固定部１５０はコネクタ１４６をシャーシ１３０に取付けるためのものであり、図５（ａ）及び図５（ｂ）に示されるようにシャーシ本体１３０ａに形成される。固定部１５０は、フランジ１５２を有する一対の第１の係止部１５１と、突出部１５４と、第２の係止部１５３と、を備える。
【００２０】
一対の第１の係止部１５１は、コネクタ１４６の移動をその両側にある取付部１４７に当接して規制する係止部である。コネクタ１４６が取付けられると、コネクタ１４６の両側に位置するように設けられ、シャーシ本体１３０ａからコネクタが取り付けられる側に、突出する。一対の第１の係止部１５１は、コネクタ１４６がそれらの間に差し込み可能になるよう、コネクタ１４６の幅Ｄと同じ寸法でもって離間してシャーシ１３０に設けられる（図５（ｂ））。フランジ１５２は一対の第１の係止部１５１のそれぞれの頂部から、一対の第１の係止部１５１の内側に延びるフランジである。フランジ１５２は、シャーシ本体１３０ａとの間に、コネクタ１４６の取付部１４７を挿入する空隙ができるように設けられる（図７ｂ参照）。コネクタ１４６が一対の第１の係止部１５１の間に挿入されると、フランジ１５２は、取付部１４７がシャーシ１３０から離間することを防止する。コネクタ１４６は、シャーシ１３０とフランジ１５２の間に形成された空隙に、図６の矢印Ａ方向に挿入可能になる。
【００２１】
突出部１５４のそれぞれは、図５（ａ）、図５（ｂ）に示されるように、シャーシ本体１３０ａに開けられた孔１５４ｂ内に、固定部１５０の中央から延びるよう、片持ち状態で設けられたアーム１５５の先端部に設けられている。そして、コネクタ１４６が挿入されていないときは、シャーシ本体１３０ａから突出した状態になる。
【００２２】
アーム１５５は湾曲可能に設けられ、コネクタ１４６を一対の第１の係止部１５１の間に、矢印Ａ方向に挿入したときにアーム１５５が撓むことで、コネクタ１４６の通過が可能になっている（図７参照）。すなわち、突出部１５４は、シャーシ本体１３０ａに対して押し込み可能に設けられる。そして、突出部１５４は、コネクタ１４６が通過するときに、取付用の孔１４８の位置で、孔１４８内に進入して、コネクタ１４６の挿入方向（矢印Ａ方向）の移動を規制する。本実施形態の突出部１５４は、コネクタ１４６を挿入したとき、撓みやすいよう、コネクタ１４６の挿入方向に対して傾斜した傾斜部１５４ａが形成されている。挿入時に、傾斜部１５４ａにコネクタ１４６の底部が当接することで、突出部１５４が押し込まれる。すなわち、突出部１５４は、コネクタ１４６の挿入経路から退避するように押し込み可能になっている。
【００２３】
さらに固定部１５０は、第２の係止部１５３を備える。第２の係止部１５３は、突出部１５４が取付部１４７の孔１４８に嵌められたとき、コネクタ１４６の取付部１４７が空隙に挿入されるときの先頭に位置する取付部１４７の端部１４７ａ(図６ｂ参照）が当接するように設けられる。これにより、コネクタ１４６は、所定の位置から挿入方向に移動することが防止され、図８に示されるように樹脂製のシャーシ１３０に固定される。また、図６（ｂ）に示されるように、第２の係止部１５３にフランジ１５３ａが設けられてもよい。コネクタ１４６が樹脂製のシャーシ１３０に固定された後、光ディスクドライブ１４３が図８の矢印Ａ方向にスライドされ、コネクタ１４６は、光ディスクドライブ１４３の接続口１４３ａに挿入される。
【００２４】
本実施形態のシャーシ１３０は樹脂製であり、固定部１５０の一対の第１の係止部１５１及び第２の係止部１５３は成形により形成される。本実施形態では、一対の第１の係止部１５１と第２の係止部１５３とが、樹脂製のシャーシ１３０に一体的になるよう形成されている。しかしながら、例えば第１の係止部１５１と第２の係止部１５３とは、別体として設けられてよい。また、突出部１５４のみで、コネクタ１４６の挿入方向の移動を規制してもよく、その場合、第２の係止部１５３を省略してもよい。
【００２５】
固定部１５０は、金属製のシャーシ１２０に形成されてもよく、その場合、第１の係止部１５１及び第２の係止部１５３は、金属製のシャーシ１２０の一部が切り起こされて形成される。
【００２６】
パソコン１００は、固定部１５０を備えることにより、シャーシ１３０にスタッド等の雌ネジを形成することなく、またネジ止めをすることなく、接続コネクタを一方向からスライド移動させることで固定することができる。すなわち、接続コネクタをネジ等の部品なしで、また、固定に別途工具を使用することがないので、より少ない手順でコネクタを固定することができる。
【００２７】
以上、本出願を特にその好ましい実施の形態を参照して詳細に説明した。本出願の容易な理解のために、本出願の具体的な形態を以下に付記する。
【００２８】
（付記１）内蔵ユニットに挿入されるコネクタであって、コネクタ本体と、前記コネクタの挿入方向に対して前記コネクタ本体の両側に、取付用の孔が形成された取付部が設けられたコネクタと、
前記内蔵ユニットが取付けられるシャーシ本体と、を備え、
前記シャーシ本体が、前記コネクタを固定する固定部を有し、
前記固定部は、
前記コネクタが取付けられると、前記コネクタの両側に位置するように設けられ、前記シャーシ本体から前記コネクタが取り付けられる側に突出する一対の第１の係止部であって、前記一対の第１の係止部のそれぞれに、前記シャーシ本体との間に前記コネクタの前記取付部を挿入する空隙ができるフランジを有する、一対の第１の係止部と、
前記一対の第１の係止部の間において、前記コネクタの前記取付部の前記孔に嵌まるよう、前記シャーシ本体から前記コネクタが取り付けられる側に突出する突出部であって、前記コネクタの取付部が前記空隙に挿入されるとき、前記コネクタの挿入経路から退避するよう押し込み可能に設けられる突出部と、を備える、情報処理装置。
（付記２）前記突出部は、前記挿入方向に対して傾斜した傾斜部を有する、付記１に記載の情報処理装置。
（付記３）前記固定部は、前記突出部が前記取付部の前記孔に嵌められたとき、前記コネクタの前記取付部が前記空隙に挿入される時の先頭に位置する前記取付部の端部が当接する第２の係止部をさらに備える、付記１又は２に記載の情報処理装置。
【符号の説明】
【００２９】
１００、２００    パソコン
１１０    ディスプレイユニット
１２０、２２０    金属製のシャーシ
１３０、２３０    樹脂製のシャーシ
１３０ａ    樹脂製のシャーシ本体
２２１    スタッド
１４０、２４０    内蔵ユニット
１４１、２４１    プリント基板
１４２、２４２    ハードディスクドライブ
１４３、２４３    光ディスクドライブ
１４３ａ、２４３ａ    接続口
１４５、２４５    接続ケーブル
１４６、２４６    コネクタ
１４６ａ    コネクタ本体
１４７    取付部
１４８    孔
１５０    固定部
１５１    第１の係止部
１５２    フランジ
１５３    第２の係止部
１５３ａ    フランジ
１５４    突出部
１５４ａ    傾斜部
１５５    アーム
【図１】
2018109863.tif 000003
【図２】
2018109863.tif 000004
【図３】
2018109863.tif 000005
【図４】
2018109863.tif 000006
【図５】
2018109863.tif 000007
【図６】
2018109863.tif 000008
【図７】
2018109863.tif 000009
【図８】
2018109863.tif 000010